(57)【要約】【課題】冷風を送風しても、結露が生じない空気調和機を提供する。【解決手段】吹出口１に、曲面で構成された上下風向変更羽根２を配置し、冷房運転モードでは、前記上下風向変更羽根２の凹面が略上向きとなる状態で、前記上下風向変更羽根２の本体側先端部２ａを面取りし斜面を設けると共に、前記上下風向変更羽根２を前記吹出口１後方の本体下面３ａより上側に配置させるもので、吹出口１から吐出される冷風は、上下風向変更羽根２上面に沿って吹出される主流と、本体２０と上下風向変更羽根２の隙間を流れる副流Ｂに分割されるが、その副流Ｂの風量が本体２０の下側に流れるのを抑えるとともに、冷風より温度の高い空気が本体下面３ａに接触しても、本体下面３ａに結露することが無い。【選択図】図１
2009144979.tif 000002
【特許請求の範囲】
【請求項１】
吹出口に、曲面で構成された上下風向変更羽根を配置し、冷房運転モードでは、前記上下風向変更羽根の凹面が略上向きとなる状態で、前記上下風向変更羽根の本体側先端部を面取りし斜面を設けると共に、前記上下風向変更羽根を前記吹出口後方の本体下面より上側に配置させることを特徴とする空気調和機。
【発明の詳細な説明】
【技術分野】
【０００１】
本発明は、空気調和機に関するもので、特に、空気調和機における吹出気流の上下風向変更羽根に関するものである。
【背景技術】
【０００２】
従来の空気調和機について、図３を用いて説明する。図３は、従来の空気調和機の吹出口周辺の拡大断面図である。
【０００３】
図３において、従来の空気調和機の吹出口１は、曲面で構成された上下風向変更羽根２と、上下に分かれた吹出口下部３  、吹出口上部４  からなり、クロスフローファン５によって押し出された吹出風は、吹出口上部４、吹出口下部３の間を通り、上下風向変更羽根２によって風向が変更され、天井方向（凹面が略上向きとなる状態）へ向かって送風されるようになっている。図示はしないが、吹出口１には、左右方向への吹き分けを行うために左右風向変更羽根も取り付けられている。
【０００４】
一般に冷風は、温度が低い分だけ室内に滞留する空気よりも比重が重く、自然に放置すれば床へ溜まりやすい。夏場に、空気調和機によって室内環境を冷却しても、足元が冷たく、窓や屋根からの侵入熱によって頭部は逆に暖められてしまい、不快な住環境になってしまう。
【０００５】
そのため、前記のように上下風向変更羽根２によって、吹出冷風を天井方向（凹面が略上向きとなる状態）へ送風する必要がある。送風する方法には、幾通りかの方法があるが、暖房運転を兼用し、壁面へ取付けることを考慮すると、吹出口１で風向を変更することが最も有効な方法である。しかし、この方法では、上下風向変更羽根２の周辺に高温多湿の空気が、冷却された吹出風に巻き込まれてしまうため、室内機の本体２０の本体下面３ａに結露を発生させてしまうという問題があった。
【０００６】
そこで、上記結露問題を解決するために、図４に示すように、吹出口１に、吹出風の上下方向の向きを変更する上下風向変更羽根２を回動軸７を介して回動自在に設け、さらに、吹出口１に、下向きに、補助羽根１０を固定又は回動可能に設けた空気調和機が提案されている。
【０００７】
上記構成により、冷房運転時に、図４に示すように、下吹き状態等の極端な風向制御を行った状態で運転しても、補助羽根１０により、上下風向変更羽根２の外側の表面に沿っても風が流れるため、上下風向変更羽根２の表面への結露が発生しなくなり、長時間継続運転できるというものがある。この構成は、下向き時の結露対策であるが、上向時においても同様である（例えば、特許文献１参照）。
【０００８】
また吹出口１の下部の結露対策の他の例として、図５に示されるように、吹出口１を構成するリヤガイダ６の前端部に、ディフューザ１１を回動自在に設け、前記リヤガイダ６の前端部に下方に折曲するフランジ６ａを形成し、同フランジ６ａの基端部にスリット６ｂを形成すると共に、同スリット６ｂに、前記リヤガイダ６の裏面に貼着される断熱部材８を臨ませた空気調和機も提案されている（例えば、特許文献２参照）。
【特許文献１】特開平７−７７３５１号公報
【特許文献２】特開２００３−９０５９２号公報
【発明の開示】
【発明が解決しようとする課題】
【０００９】
しかしながら、上記特許文献１に記載された従来の空気調和機の上下風向変更羽根２は以上のように構成されていたので、新たに補助羽根１０が必要であり、製造コストや配置する場所に関する構造的な制約、そして吹出し口に新たな構造体が加わることによる通風抵抗の増加等の課題があった。
【００１０】
又、特許文献２に記載された従来の空気調和機の構成では、吹出口１の下側先端にディフューザ１１を回動自在に設け、上下へ吹き分ける機構を採用した例もあるが、この場合、吹出風と室内雰囲気の温度差による結露を防ぐために、約２０ｍｍもの厚さを、ディフューザ１１が持たなくてはならず、またディフューザ１１とリヤガイダ６の連結部を十分に断熱、遮断しなくてはならないという構造的な課題と、ディフューザ１１の変更角度が十分にとれないという課題があった。
【００１１】
本発明は、上記従来の課題を解決するもので、安価な構成で、吹出口から冷風が吹き出されても結露が生じない空気調和機を提供することを目的とする。
【課題を解決するための手段】
【００１２】
上記従来の課題を解決するために、本発明の空気調和機は、吹出口に、曲面で構成された上下風向変更羽根を配置し、冷房運転モードでは、前記上下風向変更羽根の凹面が略上向きとなる状態で、前記上下風向変更羽根の本体側先端部を面取りし斜面を設けると共に、前記上下風向変更羽根を前記吹出口後方の本体下面より上側に配置させるもので、吹出口から吐出される冷風は、上下風向変更羽根上面に沿って吹出される主流と、本体と上下風向変更羽根の隙間を流れる副流に分割されるが、上下風向変更羽根の本体側先端部を面取りし斜面を設け、前記吹出口後方の本体下面より上側に配置しているので、副流の風量が本体下側に流れるのを抑えるとともに、前記冷風より温度の高い空気が本体下面に接触しても、本体下面に結露が着くことが無くなるというものである。
【発明の効果】
【００１３】
本発明の空気調和機は、吹出口に配置される上下風向変更羽根を備え、前記上下風向変更羽根を曲面で構成し、冷房運転モードでは、凹面が略上向きとなる状態で前記上下風向変更羽根の本体側先端部を、面取りし斜面を設け前記吹出口後方の本体下面より上側に配置したので、冷風を送風しても結露が生じない空気調和機を提供することができる。
【発明を実施するための最良の形態】
【００１４】
第１の発明は、吹出口に、曲面で構成された上下風向変更羽根を配置し、冷房運転モードでは、前記上下風向変更羽根の凹面が略上向きとなる状態で、前記上下風向変更羽根の本体側先端部を面取りし斜面を設けると共に、前記上下風向変更羽根を前記吹出口後方の本体下面より上側に配置させるもので、吹出口から吐出される冷風は、上下風向変更羽根上面に沿って吹出される主流と、本体と上下風向変更羽根の隙間を流れる副流に分割されるが、上下風向変更羽根の本体側先端部を面取りし斜面を設け、前記吹出口後方の本体下面より上側に配置しているので、副流の風量が本体下側に流れるのを抑えるとともに、前記冷風より温度の高い空気が本体下面に接触しても、本体下面に結露が着くことが無くなるというものである。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の吹出口及び上下風向変更羽根周辺の拡大断面図である。なお、上記従来の空気調和機と同一部分には、同一符号を付与
してその説明を省略する。
【００１７】
本実施の形態における空気調和機では、図１に示すように、上下風向変更羽根２の本体２０側の先端部２ａの上端から平面Ｃに接する点ａ′の長さを４ｍｍとし、この点ａ′から曲面Ｄに接する点ｂ′の長さを１０ｍｍとしている。更に、点ａ′と点ｂ′を線で結んだ斜線を面取りした形状を設け、かつ上下風向変更羽根２を、吹出口１の後方の本体下面３ａより上側に配置し、吹出口１の下部の下端から点ｂ′の隙間を、本実施の形態では、６ｍｍ確保することで、本体下面３ａに、副流Ｂの冷風が流れるのを抑える構成（図１の流れＢ）としている。
【００１８】
この副流Ｂによる結露防止効果を、流れの模式図２を用いて説明する。図２（ａ）、図２（ｂ）は、上下風向変更羽根２と吹出口下部３の周辺の拡大断面図で、風の流れを模式的に表したものである。
【００１９】
まず図２（ａ）は、上下風向変更羽根２の本体側先端部２ａに面取りがない場合の風の流れを示したものである。
【００２０】
この図からわかるように、僅かに開いた隙間を副流Ｂが流れるが、その方向は下方向である。そのため副流Ｂに沿って巻きこまれる形で周辺の高温多湿空気は下方向へ流れる。この時、巻きこまれた空気流は、本体下面３ａに沿って隙間の方へと流れる。この流れは、高温多湿の空気からなるが、その流れが沿う供試体表面は、冷風によって露点温度以下になっているため、図２の本体下面の結露発生箇所１５の部分に結露が発生してしまう。
【００２１】
また上下風向変更羽根２と吹出口下部３との間に隙間が生じないようにすることができれば、結露の発生は抑制できるが、現実的に可動部の公差を０にすることは不可能であり実現性がない。また発泡材などの緩衝材で隙間をふせぐことも可能ではあるが、容易に使用者の目に付く場所に緩衝材があることは、美観を損なうため採用することは困難である。
【００２２】
それらに対して、本実施の形態では、図２（ｂ）に示されるように、隙間から流れる副流Ｂは、上下風向変更羽根２の本体側先端部２ａに面取りし、斜面を設けることで、上下風向変更羽根２の曲面Ｄに沿って流れるため、供試体表面が冷却されにくく露点温度以下になるのを抑える構成にすることができ、コストの増加を招くことなく、冷風より温度の高い空気が本体下面３ａに接触しても、本体下面３ａの結露を防止することができるというものである。
【産業上の利用可能性】
【００２３】
以上のように、本発明にかかる空気調和機は、製造コストの増加を招くことなく空気調和機の吹出口周辺の結露防止が可能となるので、除湿機等の用途にも適用できる。
【図面の簡単な説明】
【００２４】
【図１】本発明の実施の形態１における空気調和機の吹出口及び上下風向変更羽根周辺の拡大断面図
【図２】（ａ）同上下風向変更羽根と吹出口下部周辺の拡大断面図（上下風向変更羽根に面取りが無い場合）、（ｂ）同上下風向変更羽根と吹出口下部周辺の拡大断面図（上下風向変更羽根に面取りがある場合）
【図３】従来の空気調和機の吹出口周辺の拡大断面図
【図４】従来の他の空気調和機の吹出口部周辺の断面図
【図５】従来の他の空気調和機の吹出口部周辺の断面図
【符号の説明】
【００２５】
１  吹出口
２  上下風向変更羽根
２ａ  上下風向変更羽根の本体側先端部
３  吹出口下部
３ａ  本体下面
４  吹出口上部
６  クロスフローファン
２０  本体
【図１】
2009144979.tif 000003
【図２】
2009144979.tif 000004
【図３】
2009144979.tif 000005
【図４】
2009144979.tif 000006
【図５】
2009144979.tif 000007